(57)【要約】【課題】可動体や可動体を駆動する電気的作動装置の交換を容易に行うことができる遊技機の提供。【解決手段】遊技板１０３に取り付けられるベース体２１ａと、羽根板部材２２１ａ〜２２１ｃと羽根板部材体２２１ａ〜２２１ｃを作動させるソレノイド２２２ａ，２２２ｂを有しベース体２１ａに着脱自在に取り付けられる扇子駆動役物２２ａとを備え、扇子駆動役物２２ａおよびベース体２１ａには扇子駆動役物２２ａをベース体２１ａに着脱自在に取り付けるための係合部２１２，２２６が設けられるとともに、扇子駆動役物２２ａおよびベース体２１ａには互いに電気的に接続可能なコネクタ２１３，２２７が設けられ、扇子駆動役物２２ａのコネクタ２２７とベース体２１ａのコネクタ２１３は少なくとも扇子駆動役物２２ａの係合部２２６とベース体２１ａの係合部２１２とが係合して扇子駆動役物２２ａがベース体２１ａに取り付けられた状態において電気的に接続する。【選択図】図７
2011161288.tif 000002
【特許請求の範囲】
【請求項１】
遊技球が流下可能な遊技領域を有する遊技板と、
該遊技板に取り付けられるベース体と、
可動体と該可動体を作動させる電気的作動装置を有し前記ベース体に着脱自在に取り付けられる可動ユニットとを備え、
前記可動ユニットおよび前記ベース体には前記可動ユニットを前記ベース体に着脱自在に取り付けるための係合部が設けられるとともに、
前記可動ユニットおよび前記ベース体には互いに電気的に接続可能な接続部が設けられ、
前記可動ユニットの接続部と前記ベース体の接続部は少なくとも前記可動ユニットの係合部と前記ベース体の係合部とが係合して前記可動ユニットが前記ベース体に取り付けられた状態においては電気的に接続し、
前記可動ユニットの係合部または前記ベース体の係合部のいずれか一方は係止片を有するとともに、他の一方は前記係止片と係合可能な係止片受け部を有し、
該係止片受け部には前記係止片を位置決めして係合位置まで誘導するガイド部が設けられ、前記可動ユニットの接続部と前記ベース体の接続部とは前記係止片が前記ガイド部により誘導された状態においては互いに対向し、
前記遊技板に形成される開口部の前面側に装飾部材が配設されるとともに前記遊技板の開口部の背面側に前記ベース体が配設され、
前記ベース体は前記遊技板の開口部に連通する開口が形成される略額縁形状に構成されるとともに前記遊技板の開口部を介して前記可動ユニットが前記遊技板の前面側より取り付け可能に配設され、
前記ベース体の背面側には表示装置が前記遊技板の開口部から視認可能に取り付けられ、
前記可動ユニットは前記ベース体に取り付けられた状態では前記可動体が前記表示装置の前面側で可動可能に配設され、
前記装飾部材は前記可動ユニットの前面側に前記係止片と前記係止片受け部との係合部分を覆うように配設されるとともに、
前記装飾部材の背面側には前記可動ユニットの係合部と前記ベース体の係合部の係合が解除された状態であっても前記係止片が前記ガイド部に案内されている状態が解消しないように前記係止片受け部と係合する前記係止片が係合解除方向へ移動することを規制して前記ベース体からの前記可動ユニットの離間を規制する係合解除規制部が形成されていることを特徴とする遊技機。
【請求項２】
前記係止片は前記可動ユニット側または前記ベース体側に突出するように形成されるとともに、
前記係止片の先端部には前記係止片受け部に係合可能な係止爪が形成され、
前記係止片受け部は前記係止爪と係合して前記可動ユニットと前記ベース体を少なくとも離間方向への移動を規制するとともに、
前記ガイド部は前記離間方向以外の方向への移動を規制することを特徴とする請求項１に記載の遊技機。
【請求項３】
前記係止片受け部には前記係止爪を挿入可能な係止開口が形成され、
前記係止片が前記係止片受け部に係合した状態においては前記係止片が視認困難となるかまたは係止爪のうちの係止開口から突出する部分が前記可動ユニットあるいは前記ベース体の表面と一体な面となることを特徴とする請求項２に記載の遊技機。
【請求項４】
前記係止片は、前記係止爪とは反対端側に延出し前記係止爪を操作可能な操作部を有する本体部と該本体部を支持する支持部とを有し、
前記本体部は前記操作部が操作されると前記係止爪が前記支持部を支点として前記操作部の操作方向とは逆方向に移動して前記係止爪と前記係止開口との係合が解除されることを特徴とする請求項３に記載の遊技機。
【請求項５】
前記可動ユニットの接続部または前記ベース体の接続部には前記可動ユニットが前記ベース体に取り付けられた状態において前記可動ユニットの接続部と前記ベース体の接続部が近接する方向に移動して前記可動ユニットの接続部と前記ベース体の接続部どうしを接続させる接続補助手段が設けられ、前記接続補助手段は常態においては前記可動ユニットの接続部と前記ベース体の接続部とを離間する方向に付勢するとともに、前記係止片が前記ガイド部に誘導されて前記可動ユニットと前記ベース体とが近付くにしたがって前記可動ユニットの接続部または前記ベース体の接続部の一方を他方に近接する方向に移動させることを特徴とする請求項１から請求項４のいずれかに記載の遊技機。
【請求項６】
前記可動ユニットの接続部と前記ベース体の接続部は互いに嵌合することによって電気的に接続可能であって、
前記可動ユニットの接続部は前記係止片が前記ガイド部に誘導されることにより前記ベース体の接続部に対向するように位置決めされ前記位置決めが行われた状態で前記可動ユニットの接続部と前記ベース体の接続部とが嵌合することにより前記可動ユニットの接続部と前記ベース体の接続部が電気的に接続されることを特徴とする請求項１から請求項５のいずれかに記載の遊技機。
【請求項７】
前記可動ユニットまたは前記ベース体には、前記可動ユニットまたは前記ベース体に係止して前記可動ユニットが前記ベース体に取り付けられた状態を維持するとともに前記可動ユニットを前記ベース体から取り外す際においては前記可動ユニットまたは前記ベース体との係合を解除できる係止リブが設けられることを特徴とする請求項１から請求項６のいずれかに記載の遊技機。
【発明の詳細な説明】
【技術分野】
【０００１】
本発明は、遊技機に関するものであり、詳しくは、パチンコ遊技機などの遊技機であって、所定の運動を行うことができる可動体およびこの可動体を作動させる電気的作動装置を備える遊技機に関するものである。
【背景技術】
【０００２】
パチンコ遊技機などの遊技機には、所定の運動を行うことができる（たとえば、左右方向に往復動や揺動することができる）可動体が、遊技板の前面側に設けられるものがある。このような可動体は、モータやソレノイドなどといった動力源によって、遊技板の前面側において所定の運動ができるように構成される。そしてこのような可動体が、遊技状況に応じて運動の態様が制御されることにより、遊技の演出効果を高めている。
【０００３】
たとえば特許文献１に記載の遊技機は、複合役物装置を備える。この複合役物装置は、所定の図柄を変動表示することができる液晶表示装置と、駆動手段（具体的にはギヤードモータ）の動力によって振り子状に揺動運動できる可動体（装飾体）とを備える。そして、液晶表示装置の前面側において、可動体（装飾体）が左右に揺動できるように構成される。この駆動手段は、ネジにより背面ケース部材に固定されている。
【０００４】
ところで、このような可動体や駆動手段は、交換する必要が生じることがある。たとえば、可動体や駆動手段が故障した際には、可動体や駆動手段を交換しなければならないことがある。また、遊技機の意匠の変更などの目的のため、可動体および駆動手段を交換することがある。しかしながら、たとえば特許文献１に記載に記載の構成では、駆動手段が背面ケース部材に直接ネジ止めされているため、可動体や駆動手段の交換に手間を要するという問題点がある。また、可動体や駆動手段の物理的な取り付けと、電気的な接続は別々に行う必要があるため、可動体や駆動手段の取り付け作業に手間を要するという問題点もある。
【０００５】
【特許文献１】特開２００３−１９０４０１号公報
【発明の開示】
【発明が解決しようとする課題】
【０００６】
上記実情に鑑み、本発明が解決しようとする課題は、可動体およびこの可動体を作動させる駆動手段（電気的作動装置）の交換が容易な遊技機を提供すること、または、可動体およびこの可動体を作動させる駆動手段（電気的作動装置）の交換作業において、作業に要する手間を削減することができる遊技機を提供すること、または、可動体およびこの可動体を作動させる駆動手段（電気的作動装置）の取り付けにおいて、物理的な取り付けと同時に電気的な接続を行うことができる遊技機を提供することである。
【課題を解決するための手段】
【０００７】
前記課題を解決するため、本発明は、遊技球が流下可能な遊技領域を有する遊技板と、該遊技板に取り付けられるベース体と、可動体と該可動体を作動させる電気的作動装置を有し前記ベース体に着脱自在に取り付けられる可動ユニットとを備え、前記可動ユニットおよび前記ベース体には前記可動ユニットを前記ベース体に着脱自在に取り付けるための係合部が設けられるとともに、前記可動ユニットおよび前記ベース体には互いに電気的に接続可能な接続部が設けられ、前記可動ユニットの接続部と前記ベース体の接続部は少なくとも前記可動ユニットの係合部と前記ベース体の係合部とが係合して前記可動ユニットが前記ベース体に取り付けられた状態においては電気的に接続し、前記可動ユニットの係合部または前記ベース体の係合部のいずれか一方は係止片を有するとともに、他の一方は前記係止片と係合可能な係止片受け部を有し、該係止片受け部には前記係止片を位置決めして係合位置まで誘導するガイド部が設けられ、前記可動ユニットの接続部と前記ベース体の接続部とは前記係止片が前記ガイド部により誘導された状態においては互いに対向し、前記遊技板に形成される開口部の前面側に装飾部材が配設されるとともに前記遊技板の開口部の背面側に前記ベース体が配設され、
前記ベース体は前記遊技板の開口部に連通する開口が形成される略額縁形状に構成されるとともに前記遊技板の開口部を介して前記可動ユニットが前記遊技板の前面側より取り付け可能に配設され、前記ベース体の背面側には表示装置が前記遊技板の開口部から視認可能に取り付けられ、前記可動ユニットは前記ベース体に取り付けられた状態では前記可動体が前記表示装置の前面側で可動可能に配設され、前記装飾部材は前記可動ユニットの前面側に前記係止片と前記係止片受け部との係合部分を覆うように配設されるとともに、前記装飾部材の背面側には前記可動ユニットの係合部と前記ベース体の係合部の係合が解除された状態であっても前記係止片が前記ガイド部に案内されている状態が解消しないように前記係止片受け部と係合する前記係止片が係合解除方向へ移動することを規制して前記ベース体からの前記可動ユニットの離間を規制する係合解除規制部が形成されていることを要旨とするものである。
【０００８】
また、前記係止片は前記可動ユニット側または前記ベース側に突出するように形成されるとともに、前記係止片の先端部には前記係止片受け部に係合可能な係止爪が形成され、前記係止片受け部は前記係止爪と係合して前記可動ユニットと前記ベース体を少なくとも離間方向への移動を規制するとともに、前記ガイド部は前記離間方向以外の方向への移動を規制する構成であることが好ましい。
【０００９】
前記係止片受け部には前記係止爪を挿入可能な係止開口が形成され、前記係止片が前記係止片受け部に係合した状態においては前記係止片が視認困難となるかまたは係止爪のうちの係止開口から突出する部分が前記可動ユニットあるいは前記ベース体の表面と一体な面となる構成であることが好ましい。
【００１０】
前記係止片は、前記係止爪とは反対端側に延出し前記係止爪を操作可能な操作部を有する本体部と該本体部を支持する支持部とを有し、前記本体部は前記操作部が操作されると前記係止爪が前記支持部を支点として前記操作部の操作方向とは逆方向に移動して前記係止爪と前記係止開口との係合が解除される構成であることが好ましい。
【００１１】
前記可動ユニットの接続部または前記ベース体の接続部には前記可動ユニットが前記ベース体に取り付けられた状態において前記可動ユニットの接続部と前記ベース体の接続部が近接する方向に移動して前記可動ユニットの接続部と前記ベース体の接続部どうしを接続させる接続補助手段が設けられ、前記接続補助手段は常態においては前記可動ユニットの接続部と前記ベース体の接続部とを離間する方向に付勢するとともに、前記係止片が前記ガイド部に誘導されて前記可動ユニットと前記ベース体とが近付くにしたがって前記可動ユニットの接続部または前記ベース体の接続部の一方を他方に近接する方向に移動させる構成であることが好ましい。
【００１２】
前記可動ユニットの接続部と前記ベース体の接続部は互いに嵌合することによって電気的に接続可能であって、前記可動ユニットの接続部は前記係止片が前記ガイド部に誘導されることにより前記ベース体の接続部に対向するように位置決めされ前記位置決めが行われた状態で前記可動ユニットの接続部と前記ベース体の接続部とが嵌合することにより前記可動ユニットの接続部と前記ベース体の接続部が電気的に接続される構成であることが好ましい。
【００１３】
前記可動ユニットまたは前記ベース体には、前記可動ユニットまたは前記ベース体に係止して前記可動ユニットが前記ベース体に取り付けられた状態を維持するとともに前記可動ユニットを前記ベース体から取り外す際においては前記可動ユニットまたは前記ベース体との係合を解除できる係止リブが設けられる構成であることが好ましい。
【発明の効果】
【００１４】
請求項１に記載の発明によれば、可動体とこの可動体を作動させる電気的作動装置とがユニット化されて可動ユニットを構成する。そして可動ユニットおよびベース体には、この可動ユニットをベース体に着脱自在に装着するための係合部が設けられる。このため、可動ユニットとベース体に設けられる係合部とを係合させることにより、可動ユニットをベース体に容易に装着することができる。さらに、可動ユニットの接続部と前記ベース体の接続部は、前記可動ユニットの係合部と前記ベース体の係合部とが係合して前記可動ユニットが前記ベース体に取り付けられた状態においては電気的に接続するように構成される。すなわち、可動ユニットの係合部とベース体の係合部とを係合させると、可動ユニットの接続部と前記ベース体の接続部とが同時に接続される。このため、可動ユニットをベース体に取り付けると同時に可動ユニットの接続部と前記ベース体の接続部とが同時に接続されるから、電気的な接続に要する手間を削減することができる。
また、可動ユニットの接続部と前記ベース体の接続部とは、係止片が前記ガイド部により誘導された状態においては互いに対向するように構成される。このため、接続部どうしの接続が容易となるとともに、可動ユニットをベース体に対して正しい位置で取り付けることができる。
さらに、装飾部材の背面側には可動ユニットがベース体から離間することを規制する係合解除規制部が形成されている。このため、可動ユニットとベース体の係合が解除することを防止または抑制することができる。
【００１５】
請求項２に記載の発明によれば、係止爪を操作することにより、係止片と係止片受け部との係合や係合の解除を容易に行うことができるまた、ガイド部が可動ユニットとベース体との離間方向以外の方向への移動を規制するから、可動ユニットがベース体の正しい取り付け位置からずれることを防止できる。このため、接続部の接続の信頼性の確保または向上を図ることができる。
【００１６】
請求項３に記載の発明によれば、係止片受け部には前記係止爪を挿入可能な係止開口が形成され、係止片が係止片受け部に係合した状態においては、係止片が係止開口内に挿入されるから、係止片が視認困難となる。このため、係合部のメカニズムが外部から（たとえば遊技者から）見えなくなり、見映えの向上を図ることができる。同様に、係止爪のうちの係止開口から突出する部分が可動ユニットまたはベース体の表面と一体な面となる構成であれば、見映えの向上を図ることができる。
【００１７】
請求項４に記載の発明によれば、操作部を操作することにより係止爪と係止開口との係止を解除することができる。すなわち、係止爪を直接操作しなくとも、係止爪と係止開口との係止を解除することができる。したがって、可動ユニットをベース体から取り外す操作が容易となる。
【００１８】
請求項５に記載の発明によれば、係止片がガイド部に誘導されて前記可動ユニットと前記ベース体とが近付くにしたがって、可動ユニットの接続部または前記ベース体の接続部の一方が他方に近接する方向に移動する。このため、可動ユニットをベース体に取り付ける際に、まず可動ユニットの接続部とベース体の接続部どうしが接続し、次いで可動ユニットとベース体が係合する。このため、接続部どうしの接続において、接続部に無理な外力などが掛かることを防止でき、接続部の破損を防止することができる。
【００１９】
請求項６に記載の発明によれば、可動ユニットの接続部とベース体の接続部は、互いに嵌合することによって電気的に接続可能であるから、配線を用いることなく電気的に接続することができる。したがって、配線の取り回しに要する手間を削減することができる。また、係止片がガイド部に誘導されることにより、可動ユニットの接続部がベース体の接続部に対向するように位置決めされる。そして位置決めが行われた状態で、可動ユニットの接続部と前記ベース体の接続部とが嵌合することにより、可動ユニットの接続部とベース体の接続部が電気的に接続される。このように、位置決めをしてから接続部どうしを嵌合することができるため、嵌合の際に接続部が破損することを防止または抑制できる。
【００２０】
請求項７に記載の発明によれば、可動ユニットがベース体に取り付けられた状態を維持する係止リブが設けられる。このため、可動ユニットとベース体の係合をより強固にすることができる。
【発明を実施するための最良の形態】
【００２１】
以下に、本発明の実施形態について、図面を参照して詳細に説明する。本発明の実施形態にかかる遊技機は、パチンコ遊技機である。
【００２２】
なお、説明の便宜上、本発明の実施形態にかかる遊技機において、「遊技機の前面」とは、遊技機のうち遊技者が遊技を行う側をいうものとし、「遊技機の裏面または後方」とは、遊技機のうち遊技者が遊技を行う側とは反対側をいうものとする。また、遊技機の左側、右側、上側、下側とは、常態において遊技機を前面側（遊技者側）から見た場合における左側、右側、上側、下側をいうものとする。
【００２３】
図１は、本発明の実施形態にかかる遊技機１の構造を示した分解斜視図である。図１に示すように、本発明の実施形態にかかる遊技機１は、外枠１０１（機枠とも称する）と、機構枠１０２と、遊技板１０３と、前面枠１０４と、ガラス枠１０５（開閉扉とも称する）とを有する。
【００２４】
外枠１０１は、略額縁状に形成され、遊技機１の前後方向に所定の奥行きを有する枠体である。外枠１０１の前面側には、この外枠１０１に対して開閉可能な機構枠１０２および前面枠１０４が設けられる。具体的には、機構枠１０２および前面枠１０４は、外枠１０１の前面側の片側縁（本発明の実施形態においては、遊技機１に向かって左側縁）に軸着されており、前面側に向けて開閉可能に組み付けられる。
【００２５】
機構枠１０２は、開口部が形成される枠体である。この機構枠１０２の背面側には、遊技球を貯留するタンク１２１、タンク１２１から流下する遊技球の経路となるタンクレール１２２、遊技球を払い出す払出装置１２３、電源基板が収納される電源基板ケース１２４、払出制御基板が収納される払出制御基板ケース１２５、カードインターフェース接続部１２６などが設けられる。前面枠１０４は、開口部が形成される枠体である。この前面枠１０４の背面側には、遊技板１０３が着脱可能に取り付けられる。また、この前面枠１０４の背面側には、遊技球を発射する発射装置（図１においては隠れて見えない）、発射制御基板が収容される発射制御基板ケース１４１などが配設される。
【００２６】
遊技板１０３は板状の部材である。遊技板１０３の前面側には、遊技球が流下可能な遊技領域が設けられる。また、遊技板１０３の背面側には、音声制御基板と図柄制御基板が収容される音声・図柄制御基板ケース１３１、サブ制御基板が収容されるサブ制御基板ケース１３２、主制御基板が収容される主制御基板ケース１３３などが配設される。そして、この遊技板１０３は、前面枠１０４に形成される開口部の背面側に取り付けられる。このような構成により、遊技板１０３の前面側に設けられる遊技領域は、前面枠１０４に形成される開口を通じて、前面側に視認可能に露出する。また、遊技板１０３の背面側に配設される音声・図柄制御基板ケース１３１、サブ制御基板ケース１３２、主制御基板ケース１３３などは、機構枠１０２に形成される開口部に嵌りこむ。
【００２７】
前面枠１０４には、この前面枠１０４に対して開閉可能なガラス枠１０５が取り付けられる。具体的には、ガラス枠１０５は、前面枠１０４の片側縁（本発明の実施形態においては、遊技機１に向かって左側縁）に軸着されており、前面枠１０４に対して前面側に向けて開閉可能に組み付けられる。このガラス枠１０５には、ガラス板またはプラスチック板などの透明板１５１が、遊技板１０３の前面側に位置するように配設される。このため、透明板１５１を通じて、本発明の実施形態にかかる遊技機１の前面側から遊技板１０３を視認可能に構成される。
【００２８】
図２は、本発明の実施形態にかかる遊技機１を前面側からみた平面図である。図２に示すように、本発明の実施形態にかかる遊技機１の最も前面側には、ガラス枠１０５が配設される。ガラス枠１０５には、上皿１５２が一体的に形成される。この上皿１５２は、遊技板１０３の遊技領域１３４に発射するための遊技球を貯留することができる。この上皿１５２には、貯留されている遊技球を下皿１５３に流下させるための上皿操作部や、貸出可能な貸し球を払い出すための球貸し操作部などが設けられている。また、ガラス枠１０５の上部左右両側には、スピーカ１５４，１５４が設けられている。
【００２９】
ガラス枠１０５の下部には、下皿部材１５５が設けられる。下皿部材１５５には、下皿１５３、球抜き操作部１５６や遊技スイッチ１５７などが設けられる。下皿１５３は、払い出された遊技球のうち、上皿１５２に入りきらない遊技球を貯めることができる。球抜き操作部１５６は、これを操作することにより、下皿１５３に貯まった遊技球を遊技機外部（に置かれた遊技球容器など）に流し落とすことができる。遊技スイッチ１５７は、遊技状況に応じて遊技者が操作することができるスイッチ類である。
【００３０】
また、図１および図２に示すように、ガラス枠１０５は、その遊技機１に向かって右下の一部が切り欠かれたような形状を有している。そしてこの切り欠かれた部分においては前面枠１０４が露出しており、この部分には発射ハンドル１４２が設けられる。発射ハンドル１４２は、遊技球を発射するためのタッチスイッチなどを備える。
【００３１】
遊技板１０３は、前面枠１０４に着脱可能に取り付けられている。遊技板１０３の周縁には、ガイドレール１３４１，１３４２が、略円弧状に形成されている。このガイドレール１３４１，１３４２は、発射装置から発射された遊技球をガイドするための部材であり、内側ガイドレール１３４２と外側ガイドレール１３４１とからなる。遊技領域１３４は、遊技板１０３のガイドレール（内側ガイドレール１３４２および外側ガイドレール１３４１）の一部によって囲まれた部分に形成される領域であり、遊技球が流下可能な領域である。
【００３２】
遊技領域１３４には、その略中央に図柄などを表示する図柄表示装置１３４３が配設される。この図柄表示装置１３４３としては、液晶表示パネルが適用できる。
【００３３】
図柄表示装置１３４３の前面には、センター役物２が配設される。センター役物２は、ベース体（図１においては隠れて見えない。）と、扇子を模した駆動役物（以下、「扇子駆動役物」と称する。本発明の可動ユニットに相当する）と、装飾部材２３などを有する。扇子駆動役物（可動ユニット）は、三枚の羽根板部材２２１ａ，２２１ｂ，２２１ｃ（本発明の可動体に相当する）を有する。そして三枚の羽根板部材２２１ａ，２２１ｂ，２２１ｃのうちの二枚（図においては羽根板部材２２１ａ，２２１ｃ）がそれぞれ左右両側に移動することにより、三枚の羽根板部材２２１ａ，２２１ｂ，２２１ｃにより扇子が開いた状態を模すことができる。また、三枚の羽根板部材２２１ａ，２２１ｂ，２２１ｃがすべて中央に集まることにより（換言すると、三枚の羽根板部材２２１ａ，２２１ｂ，２２１ｃがすべて重なることにより）、扇子が閉じた状態を模すことができる。
【００３４】
遊技領域１３４のセンター役物２以外の部分には、大入賞口１３４４、始動入賞口１３４５、その他の入賞口１３４６、ゲート１３４７など、各種入賞口が配設される。また、図示しないが、遊技板１０３の遊技領域１３４には、複数の釘などが起立するように配設されている。
【００３５】
本発明の実施形態にかかる遊技機１は、発射ハンドル１４２の操作により、発射装置が遊技球を遊技領域１３４に発射する。発射された遊技球は、遊技板１０３の前面の遊技領域１３４を転動しながら落下する。そして、落下する遊技球が、始動入賞口１３４５、その他入賞口１３４６などの入賞口に入ると、所定の賞球遊技球が、遊技球払出口から払い出されるように構成される。
【００３６】
図３は、本発明の実施形態にかかる遊技機１の背面図である。図３に示すように、本発明の実施形態にかかる遊技機１の背面側には、枠用外部端子基板１２７、図柄制御基板と音声制御基板が収容された音声・図柄制御基板ケース１３１、主制御基板が収容された主制御基板ケース１３３、サブ制御基板が収容されたサブ制御基板ケース１３２、ランプ制御基板、払出装置１２３、払出制御基板が収容された払出制御基板ケース１２５、発射装置制御基板が収容された発射制御基板ケース１４１、電源基板が収容された電源基板ケース１２４などの各種基板や装置が設けられる。さらに、カードインターフェース接続部１２６、球寄せ１２８、タンク１２１、タンクレール１２１、払出装置１２３、発射装置１４３などが設けられている。
【００３７】
図４と図５は、遊技板１０３およびセンター役物２の構成を模式的に示した分解斜視図である。それぞれ図４は、遊技機１の前面側から見た図であり、図５は遊技機１の背面側から見た図である。センター役物２は、図４と図５のそれぞれに示すように、ベース体２１ａ、扇子駆動役物２２ａ、装飾部材２３などを有する。ベース体２１ａは主として扇子駆動役物２２ａや図柄表示装置１３４３などを取り付けるための枠体状の部材である。すなわち、ベース体２１ａは、開口した略方形の形状を有する。
【００３８】
扇子駆動役物２２ａは、扇子を模して造形される役物であり、遊技状況などに応じて、扇子が開いた状態を模したり、閉じた状態を模したりすることができる役物である。装飾部材２３は、遊技板１０３を装飾する機能を有するとともに、扇子駆動役物２２ａの動力部や係合部を遊技機１の前面側から見えないようにする（隠す）機能を有する。また、この装飾部材２３は、扇子駆動役物２２ａがベース体２１ａから外れないように、扇子駆動役物２２ａの移動を規制する機能も有する。
【００３９】
そして図４、図５のそれぞれに示すように、ベース体２１ａの前面側に扇子駆動役物２２ａが取り付けられ、扇子駆動役物２２ａが取り付けられたベース体２１ａが、遊技板１０３の背面側に取り付けられて固定される。また、遊技板１０３の前面側には装飾部材２３が取り付けられる。なお、図示しないが、ベース体２１ａの背面側には、図柄表示装置１３４３が取り付けられる。遊技板１０３には開口部が形成されているから、遊技機１（遊技板）の前面側から、遊技板１０３に形成される開口部とベース体２１ａに形成される開口部とを通じて、ベース体２１ａの前面側に取り付けられる扇子駆動役物２２ａとベース体２１ａの背面側に取り付けられる図柄表示装置１３４３とを視認することが可能である。
【００４０】
装飾部材２３の背面側には、係合解除規制部２３１が設けられる（図５参照）。具体的にはこの係合解除規制部２３１は、装飾部材２３の背面側に突出する突起状の部位である。図５においては、係合解除規制部２３１が略方形の平板状（または立壁状）に形成される構成を示すが、係合解除規制部２３１の形状は特に限定されるものではない。要は、装飾部材２３の背面側から所定の長さだけ突出する構成であればよい。したがってたとえば係合解除規制部２３１が棒状に形成される構成であっても良い。
【００４１】
図６は、扇子駆動役物２２ａ（本発明にいう可動ユニット）の構成を模式的に示した外観斜視図である。図６（ａ）は、扇子が閉じた状態を示した図、図６（ｂ）は、扇子が開いた状態を示した図である。図６に示すように、扇子駆動役物２２ａは、三枚の羽根板部材２２１ａ，２２１ｂ，２２１ｃ（本発明にいう可動体）と、二個のソレノイド２２２ａ，２２２ｂ（本発明にいう電気的作動装置）と、ハウジング２２３ａと、カバー２２４とを有する。
【００４２】
三枚の羽根板部材２２１ａ，２２１ｂ，２２１ｃは、それぞれ扇状に形成される板部材である。そして三枚の羽根板部材２２１ａ，２２１ｂ，２２１ｃのうちの二枚２２１ａ，２２１ｃには、扇の要（かなめ）に相当する位置の近傍に、磁性体または磁石２２５が配設される。また、少なくともこれら二枚の羽根板部材２２１ａ，２２１ｃは、扇の要に相当する位置を中心として、左右に揺動することができる。ソレノイド２２２ａ，２２２ｂは、通電によって磁界を発生することができる部材である。このソレノイド２２２ａ，２２２ｂには、従来一般のソレノイドが適用できる。ハウジング２２３ａは、二個のソレノイド２２２ａ，２２２ｂを収納することができるとともに、三枚の羽根板部材２２１ａ，２２１ｂ，２２１ｃの基端部（扇の要に相当する部分およびその近傍。磁性体または磁石２２５が配設される部分を含む）を収容可能に形成される。すなわち、ハウジング２２３ａは、扇子駆動役物２２ａの駆動部を収容することができる。カバー２２４は、板状の部材でありハウジング２２３ａの背面側に装着される。このカバー２２３には、接続部としてのコネクタ（図略）が実装される。
【００４３】
このような構成を有する扇子駆動役物２２ａの動作は、次のとおりである。ソレノイド２２２ａ，２２２ｂに通電していない状態においては、二枚の羽根板部材２２１ａ，２２１ｃは、それらの自重により略垂直に垂れさがった状態となる。したがって、三枚の羽根板部材２２１ａ，２２１ｂ，２２１ｃが略重なった状態となる。この状態は、扇子が閉じた状態を模している。ソレノイド２２２ａ，２２２ｂに通電すると、ソレノイド２２２ａ，２２２ｂが発生する磁力によって、二枚の羽根板部材２２１ａ，２２１ｃに設けられる磁性体または磁石２２５が、ソレノイド２２２ａ，２２２ｂに吸着される。この結果、二枚の羽根板部材２２１ａ，２２１ｃは、扇の要に相当する位置を中心に、所定の角度だけそれぞれ左右に回転する。これにより、扇が開いた状態を模すことができる。このように、ソレノイド２２２ａ，２２２ｂに通電することにより、扇を閉じた状態から開いた状態に変化させることができる。またソレノイド２２２ａ，２２２ｂへの通電を停止することにより、扇を開いた状態から閉じた状態に変化させることができる。
【００４４】
図７は、センター役物２からベース体２１ａと扇子駆動役物２２ａを抜き出して示した分解斜視図である。図７に示すように、ベース体２１ａの前面側上部には係合部２１２が設けられる。また、扇子駆動役物２２ａにも係合部２２６が設けられる。
【００４５】
ベース体の係合部２１２は、ベース体２１ａから前面側に突出する係止片３０１ａと、係止片３０１ａの先端に形成される係止爪３０２とからなる。係止片３０１ａは舌片状に形成される部位であり、弾性変形可能に構成される。そして二枚の係止片３０１ａが、左右に所定の間隔をおいて背中合わせに形成される。二枚の係止片３０１ａの間には、接続部としてのコネクタ２１３が設けられる。
【００４６】
扇子駆動役物２２ａの係合部２２６は、係止片受け部３０３ａと、この係止片受け部３９３ａに設けられるガイド部３０４ａとを有する。係止片受け部３０３ａは、ベース体２１ａの係止片３０１ａと係合可能な部位である。ガイド部３０４ａは、ベース体２１ａの係止片３０１ａを位置決めして係合位置まで誘導することができる部位である。具体的には図７に示すように、扇子駆動役物２２ａのハウジング２２３ａの左右両外側に、前後方向に延伸する溝が形成されるとともに、この溝を跨ぐように橋状の部分が形成される。したがって全体として、扇子駆動役物２２ａのハウジング２２３ａの左右両外側に、前後方向に貫通し、ベース体２１ａの係止片３０１ａを挿通可能な貫通孔（係止開口）が形成されるという構成を備える。この貫通孔状の部分が、ベース体２１ａの係止片３０１ａと係合可能な係止片受け部３０３ａであり、溝状の部分が、ベース体２１ａの係止片３０１ａを位置決めして係合位置まで誘導することができるガイド部３０４ａである。
【００４７】
そして扇子駆動役物２２ａのハウジング２２３ａの背面側には、カバー２２４が装着され、このカバー２２４には、ベース体２１ａに実装されるコネクタ２１３に接続可能な接続部としてのコネクタ２２７が実装される。
【００４８】
このような構成を備えるベース体２１ａと扇子駆動役物２２ａとの組み付け構造は、次のとおりである。図８は、ベース体２１ａに扇子駆動役物２２ａを取り付ける途中の状態を示した外観斜視図である。また図９は、ベース体２１ａに扇子駆動役物２２ａを取り付けた状態を示した外観斜視図である。
【００４９】
図８に示すように、まず、ベース体２１ａの係止片３０１ａを扇子駆動役物２２ａのハウジング２２３ａのガイド部３０４ａに係合させる。そうすると、ベース体２１ａに実装されるコネクタ２１３と、扇子駆動役物２２ａ（のハウジング２２３ａに装着されるカバー２２４）に実装されるコネクタ２２７とが、位置決めされた状態で対向する。
【００５０】
この状態から扇子駆動役物２２ａのハウジング２２３ａをさらにベース体２１ａに接近させると、図９に示すように、ベース体２１ａの係止片３０１ａの先端が、扇子駆動役物２２ａのハウジング２２３ａに形成される貫通孔（係止開口）を貫通し、扇子駆動役物２２ａのハウジング２２３ａの前面側に突出する。この状態となると、ベース体２１ａに実装されるコネクタ２１３と、扇子駆動役物２２ａ（のハウジング２２３ａに装着されるカバー２２４）に実装されるコネクタ２２７とが電気的に接続する。また、ベース体２１ａの係止片３０１ａの先端に形成される係止爪３０２が、扇子駆動役物２２ａのハウジング２２３ａに形成される係止片受け部３０３ａに係止する。この結果、扇子駆動役物２２ａは、ベース体２１ａに、脱落困難に固定される。なお、本発明においては、この位置を「係合位置」と称する。
【００５１】
このような構成によれば、扇子駆動役物２２ａをベース体２１ａに取り付けると同時に、扇子駆動役物２２ａのコネクタ２２７とベース体２１ａのコネクタ２１３とが電気的に接続する。このため、扇子駆動役物２２ａとベース体２１ａの電気的な接続の作業を省略することができ、遊技機１の組み立て作業の単純化や容易化を図ることができる。一方、扇子駆動役物２２ａをベース体２１ａから取り外すには、係止片３０１ａを操作して（弾性変形させて）、係止爪３０２と係止片受け部３０３ａとの係止を解除すればよい。このように、扇子駆動役物２２ａをベース体２１ａから取り外す作業も容易である。
【００５２】
また、ベース体２１ａの係止片３０１ａが、扇子駆動役物２２ａのハウジング２２３ａに形成されるガイド部３０４ａと係合することにより、ベース体２１ａに実装されるコネクタ２１３と、扇子駆動役物２２ａに実装されるコネクタ２２７とが位置決めされた状態で対向する。したがって、コネクタ２１３，２２７どうしの位置決め作業が不要となる。また、このような構成によれば、コネクタ２１３，２２７どうしが確実に位置決めされるから、コネクタ２１３，２２７どうしを電気的に接続する際に、コネクタ２１３，２２７に無理な力が加わることを防止または抑制できる。したがって、コネクタ２１３，２２７の破損などを防止または抑制することができる。
【００５３】
扇子駆動役物２２ａがいったんベース体２１ａに取り付けられると、ベース体２１ａの係止片３０１ａが扇子駆動役物２２ａのハウジング２２３ａのガイド部３０４ａと係合するから、扇子駆動役物２２ａのハウジング２２３ａが、ベース体２１ａとの離間方向（すなわち、遊技機１を基準として前後方向）以外の方向への移動を規制される。このため、扇子駆動役物２２ａが、ベース体２１ａの正しい取り付け位置からずれることを防止できる。したがって、コネクタ２１３，２２７の接続の信頼性の確保または向上を図ることができる。
【００５４】
扇子駆動役物２２ａがベース体２１ａに取り付けられると、ベース体２１ａの係止片３０１ａは、扇子駆動役物２２ａのハウジング２２３ａの貫通孔状の部分（すなわち、係止開口）に挿入された状態にある。このため、係止片３０１ａが外部から視認困難となる。したがって、係合部のメカニズムが外部から（たとえば遊技者から）見え難くなり、遊技機１の見映えの向上を図ることができる。
【００５５】
図１０は、扇子駆動役物２２ａが取り付けられたベース体２１ａが、遊技板１０３に取り付けられた状態を、模式的に示した分解斜視図である。図１１は、さらに遊技板１０３に装飾体２３が取り付けられた状態を模式的に示した平面図である。図１０に示すように、遊技板１０３には開口部が形成される。そしてこの開口部の背面側に、扇子駆動役物２２ａが取り付けられたベース体２１ａが装着される。ベース体２１ａの背面側には、図柄表示装置１３４３が取り付けられる。このような構成によれば、遊技板１０３に形成される開口部を通じて、図柄表示装置１３４３と、図柄表示装置１３４３の前面側において可動可能に取り付けられる扇子駆動役物２２ａの羽根板部材２２１ａ，２２１ｂ，２２１ｃが視認可能となる。
【００５６】
そして図１１に示すように、遊技板１０３に装飾部材２３が取り付けられると、装飾部材２３が、扇子駆動役物２２ａとベース体２１ａの係合部の前面側を覆う。このため、遊技機１の前面側からは、扇子駆動役物２２ａとベース体２１ａの係合部が視認困難となる。したがって、遊技機１の見映えの向上を図ることができる。
【００５７】
装飾部材２３の背面側には、係合解除規制部２３１（特に図５参照）が形成される。装飾部材２３が遊技板１０３に装着されると、この係合解除規制部２３１の先端が、扇子駆動役物２２ａのハウジング２２３ａに前面側から近接するか、または当接する。このため、この係合解除規制部２３１によって、扇子駆動役物２２ａが遊技機１の前面側に移動すること（すなわち、ベース体２１ａとの係合が解除される方向に移動すること）が防止される。
【００５８】
なお、前記実施形態においては、ベース体２１ａに係止片３０１ａが形成され、扇子駆動役物２２ａ（本発明にいう可動ユニット）のハウジング２２３ａに係止片受け部３０３ａおよびガイド部３０４ａが形成される構成を示したが、反対に、ベース体に係止片受け部およびガイド部が形成され、扇子駆動役物に係止片が形成される構成であっても良い。図１２は、ベース体に係止片受け部およびガイド部が形成され、扇子駆動役物に係止片が形成される構成を模式的に示した分解斜視図である。
【００５９】
図１２に示すように、扇子駆動役物２２ｂのハウジング２２３ｂの左右両側には、係止片３０１ｂが形成される。これらの係止片３０１ｂは、ハウジング２２３ｂから左右両側に延伸し、その先端部が屈曲して背面側に延伸するという構成を備える。したがって全体としてこれらの係止片３０１ｂは、略Ｌ字形状に形成される。これらの係止片３０１ｂは、全体として弾性変形可能に構成される。すなわち少なくとも、係止片３０１ｂの先端どうしが近接する方向に弾性変形（内側に向かって弾性変形）することができる。係止片３０１ｂの先端（最も背面側）には、係止爪３０２が形成される。この係止爪３０２は、係止片３０１ｂの先端から左右外側に向かって突起する凸状の部位である。
【００６０】
一方、ベース体２１ｂには係止片受け部３０３ｂが形成される。具体的な構成は次のとおりである。ベース体２１ｂの前面側上部に、左右所定の間隔をおいて二枚の立壁２１１ｂが形成される。これらの立壁２１１ｂは、その略中央部が、左右外側に向かって張り出している。換言すると、これらの立壁２１１ｂには、左右外側に向かって窪んでいる溝状の部分が形成される。すなわち全体として、これら二枚の立壁２１１ｂは、クランク状に屈曲している。この左右外側に向かって窪んでいる部分は、扇子駆動役物２２ｂのハウジング２２３ｂに形成される係止片３０１ｂが係合可能に構成される。また、二枚の立壁２１１ｂのそれぞれにおいて、左右外側に向かって張り出している（窪んでいる）部分の基端部には、開口部が形成される。この開口部は、扇子駆動役物２２ｂの係止片３０１ｂの先端に形成される係止爪３０２が係止可能に形成される。これらの立壁に形成される溝状の部分および開口部が、係合部の係止片受け部３０３ｂである。特に溝状の部分が係止片３０１ｂを誘導するガイド部３０４ｂとなる。
【００６１】
このような構成を備えるベース体２１ｂと扇子駆動役物２２ｂの組み付け構造は、次のとおりである。まず、扇子駆動役物２２ｂのハウジング２２３ｂの係止片３０１ｂを、ベース体２１ｂの立壁２１１ｂに形成される溝状の部分（すなわちガイド部３０４ｂ）に係合させる。そうすると、そうすると、ベース体２１ｂに実装されるコネクタ２１３と、扇子駆動役物２２ｂ（のハウジング２２３ｂに装着されるカバー２２４）に実装されるコネクタ２２７とが、位置決めされた状態で対向する。
【００６２】
図１３は、ベース体２１ｂに扇子駆動役物２２ｂが取り付けられた状態を模式的に示した外観斜視図である。前記状態から、扇子駆動役物２２ｂのハウジング２２３ｂをさらにベース体２１ｂに接近させると、図１３に示すように、扇子駆動役物２２ｂの係止片３０１ｂの先端に形成される係止爪３０２が、ベース体２１ｂの立壁２１１ｂに形成される開口部に嵌合する。この位置が「係合位置」である。この結果、扇子駆動役物２２ｂは、ベース体２１ｂに、脱落困難に固定される。この状態となると、ベース体２１ｂに実装されるコネクタ２１３と、扇子駆動役物２２ｂ（のハウジング２２３ｂに装着されるカバー２２４）に実装されるコネクタ２２７とが電気的に接続する。
【００６３】
このような構成によれば、扇子駆動役物２２ｂ（本発明にいう可動ユニット）をベース体２１ｂに取り付けると同時に、扇子駆動役物２２ｂのコネクタ２２７（本発明にいう接続部）とベース体２１ｂのコネクタ２１３（本発明にいう接続部）とが電気的に接続する。このため、扇子駆動役物２２ｂとベース体２１ｂの電気的な接続の作業を省略することができ、遊技機１の組み立て作業の単純化や容易化を図ることができる。一方、扇子駆動役物２２ｂをベース体２１ｂから取り外すには、係止片３０１ｂを操作して（弾性変形させて）、係止爪３０２と係止片受け部３０３ｂとの係止を解除すればよい。このように、扇子駆動役物２２ｂをベース体２１ｂから取り外す作業も容易である。
【００６４】
扇子駆動役物２２ｂのハウジング２２３ｂに形成される係止片３０１ｂが、ベース体２１ｂの立壁２１１ｂに形成されるガイド部３０４ｂに係合すると、ベース体２１ｂに実装されるコネクタ２１３と、扇子駆動役物２２ｂに実装されるコネクタ２２７とが位置決めされた状態で対向する。したがって、コネクタどうしの位置決め作業が不要となる。また、このような構成によれば、コネクタ２１３，２２７どうしが確実に位置決めされるから、コネクタ２１３，２２７どうしを電気的に接続する際に、コネクタ２１３，２２７に無理な力が加わることを防止または抑制できる。したがって、コネクタ２１３，２２７の破損などを防止または抑制することができる。
【００６５】
扇子駆動役物２２ｂがいったんベース体２１ｂに取り付けられると、図１３に示すように、係止片３０１ｂがガイド部３０４ｂに係合した状態が維持される。このため、扇子駆動役物２２ｂが、扇子駆動役物２２ｂとベース体２１ｂとの離間方向（すなわち、遊技機１を基準として前後方向）以外の方向へ移動することが規制される。したがって扇子駆動役物２２ｂがベース体２１ｂの正しい取り付け位置からずれることを防止できる。この結果、コネクタ２１３，２２７の接続の信頼性の確保または向上を図ることができる。
【００６６】
また、扇子駆動役物２２ｂがベース体２１ｂに取り付けられると、扇子駆動役物２２ｂのハウジング２２３ｂに形成される係止片３０１ｂは、ベース体２１ｂに形成される立壁２１１ｂに覆われて、外部から視認困難となる。したがって、係合部の構造が外部から（たとえば遊技者から）見え難くなり、遊技機１（特に扇子駆動役物２２ｂとベース体２１ｂの係合部）の見映えの向上を図ることができる。
【００６７】
ところで、扇子駆動役物とベース体の係合部の見映えを向上する構成としては、次のような構成も挙げられる。図１４は、係合部の見映えの向上を図った扇子駆動役物とベース体の構成を模式的に示した分解斜視図である。図１５は、前記扇子駆動役物をベース体に取り付けた状態を示した外観斜視図である。
【００６８】
図１４に示すように、ベース体２１ｃには係止片３０１ｃが形成される。この係止片３０１ｃの先端は先細り形状に形成される（すなわち、傾斜面が形成される）。なお、このベース体２１ｃおよびベース体２１ｃに形成される係止片３０１ｃの構成は、前記ベース体２１ａおよびベース体２１ａに形成される係止片３０１ａの構成と略同じであることから説明は省略する（特に図７および図７に関する説明を参照）。
【００６９】
図１４に示すように、扇子駆動役物２２ｃのハウジング２２３ｃには、その左右両側近傍に、前後方向に貫通する貫通孔（係止開口）２２９が形成される。なお、図７に示すハウジング２２３ａとは異なり、このハウジング２２３ｃはその左右両側が張り出しておらず、ハウジング２２３ｃの左右両面は略平面に形成される。すなわち、このハウジング２２３ｃは、前面側または背面側から見て、単純な四辺形の形状を有する。また、ハウジング２２３ｃの前面側の面と左右両面の間には、面取りされたような傾斜面２２８が形成される。そして貫通孔（係止開口）２２９は、この傾斜面２２８に形成される。
【００７０】
このような構成のハウジング２２３ｃを有する扇子駆動役物２２ｃをベース体２１ｃに取り付けると、次のような構成となる。すなわち、図１５に示すように、ベース体２１ｃに形成される係止片３０１ｃの先端が、係止開口２２９を通じてハウジング２２３ｃに形成される傾斜面２２８に達する。そして、係止片３０１ｃの先端に形成される係止爪３０２が、係止開口２２９の周縁部に係止する（この位置が「係合位置」である）。したがって、扇子駆動役物２２ｃのハウジング２２３ｃは、ベース体２１ｃに抜脱困難に固定される。前記のように係止片３０１ｃの先端には傾斜面が形成されており、この傾斜面が、ハウジング２２３ｃに形成される傾斜面２２８と略一致する。すなわち、ハウジング２２３ｃに形成される傾斜面２２８と、係止片３０１ｃの先端に形成される傾斜面とが一体な面となる。このように、係止片３０１ｃは、その先端の傾斜面のみが係止開口２２９から露出し、かつ、ハウジング２２３ｃに形成される傾斜面２２８と係止片３０１ｃの先端に形成される傾斜面とが一体な面となると、係止片３０１ｃが外部から視認困難となる。したがって、係止片３０１ｃの存在を隠すことができるから、扇子駆動役物２２ｃとベース体２１ｃの係合部の見映えの向上を図ることができる。
【００７１】
前記各実施形態においては、扇子駆動役物をベース体から取り外すためには、係止片の先端に形成される係止爪を直接操作し、この係止爪と係止片受け部との係合を解除する必要がある。次に示す実施形態は、係止爪を直接操作しなくとも、係止爪と係止片受け部との係合を解除できる構成を有するものである。
【００７２】
図１６は、係止爪を直接操作しなくとも係止爪と係止片受け部との係合を解除できるハウジング２２３ｄの構成を模式的に示した外観斜視図である。図１６に示すように、この実施形態においては、扇子駆動役物２２ｄのハウジング２２３ｄに係止片３０１ｄが形成される。この係止片３０１ｄは、ハウジング２３３ｄから左右に延出する支持部３０５と、この支持部３０５の先端からハウジングの前後両側に延出する板状の本体部３０６を有する。本体部３０６の先端（遊技機１を基準として背面側の端部）には、支持部３０５が形成される側と同じ側に向かって突起する係止爪３０２が形成される。また、本体部３０６の基端部（遊技機１を基準として前面側の端部）が、操作部３０７となる。
【００７３】
すなわち、図１６に示すように、操作部３０７を操作方向に向かって力を加えると、係止片３０１ｄの先端の係止爪３０２は、支持部３０５を支点として、操作部３０７の操作方向（力を加えた向き）とは逆方向に移動する。具体的には、図１６に示すように、左右両側の係止片３０１ｄの操作部３０７どうしを近付けるように力を加えると（図中の矢印の向きに力を加えると）、係止爪３０２（すなわち本体部３０６の先端）は、互いに離れる方向に移動する。このように、操作部３０７を操作することにより、係止爪３０２を所定の方向に移動させることができる。
【００７４】
図１７は、前記のような係止片３０１ｄを有するハウジング２３３ｄを有する扇子駆動役物２２ｄと、この扇子駆動役物２２ｄと係合することができるベース体２１ｄの構成を、模式的に示した分解斜視図である。図１７に示すように、ベース体２１ｄの前面側上部には、左右に所定の間隔をおいて、前面側に向かって起立する二枚の立壁２１１ｄが相対向するように形成される。そして二枚の立壁２１１ｄの外側の面（相対向する面とは反対側の面）には、前後方向に延伸する二条の突起２１４が略平行に形成される。これら二条の突起２１４に挟まれた部分が、ハウジング２２３ｄの係止片３０１ｄを誘導するガイド部３０４ｄとなる。また、二枚の立壁２１１ｄの基端部のうち、二条の突起２１４に挟まれた部分には、開口部２１５が形成される。この開口部２１５は、ハウジング２２３ｄの係止片３０１ｄの係止爪３０２が係止可能に構成される。これら二枚の立壁２１１ｄの間には、コネクタ２１３が実装される。
【００７５】
このような構成を有する扇子駆動役物２２ｄとベース体２１ｄの組み付け構造は、次のとおりである。まず、ハウジング２２３ｄの係止片３０１ｄの先端部を、ガイド部３０４ｄ（二条の突起２１４に挟まれた部分）に係合させる。そうすると、ベース体２１ｄに実装されるコネクタ２１３と、扇子駆動役物２２ｄ（のハウジング２２３ｄに装着されるカバー２２４）に実装されるコネクタ２２７とが、位置決めされた状態で対向する。
【００７６】
そしてこの状態から、扇子駆動役物２２ｄのハウジング２２３ｄをさらにベース体２１ｄに接近させると、係止片３０１ｄの先端に形成される係止爪３０２が、立壁２１１ｄの基端部に形成される開口部２１５に嵌りこむ。この位置が係合位置である。ハウジング２２３ｄが係合位置にあると、ハウジング２２３ｄに実装されるコネクタ２２７と、ベース体に実装されるコネクタ２１３とが、位置合わせされた状態で電気的に接続する。ここで、係止片３０１ｄの先端に形成される係止爪３０２が、立壁２１１ｄに形成される開口部に嵌りこむようにして係止するから、扇子駆動役物２２ｄのハウジング２２３ｄは、ベース体２１ｄに脱落困難に固定される。このような構成によれば、前記実施形態と同様の作用効果を奏することができる。
【００７７】
図１８は、扇子駆動役物２２ｄがベース体２１ｄに取り付けられた状態を、模式的に示した外観斜視図である。前記の通り、扇子駆動役物２２ｄのハウジング２２３ｄが係合位置にあると、係止片３０１ｄの先端に形成される係止爪３０２が、ベース体２１ｄの立壁２１１ｄに形成される開口部に係止する。このため、扇子駆動役物２２ｄ（のハウジング２２３ｄ）は、ベース体２１ｄに抜脱困難に固定される。ここで、係止片３０１ｄの操作部３０７を前記操作方向に移動させると、係止片３０１ｄの係止爪は３０２、操作方向とは逆向きに移動する。この結果、扇子駆動役物２２ｄのハウジング２２３ｄとベース体２１ｄの立壁２１１ｄとの係合が解除される。したがって、その状態でハウジング２２３ｄが前面側に引っ張られると、扇子駆動役物２２ｄがベース体２１ｄから容易に離脱する。すなわち、係止爪３０２を直接操作しなくとも、係止爪３０２と開口部との係止を解除することができる。したがって、扇子駆動役物２２ｄをベース体２１ｄから取り外す操作が容易となる。
【００７８】
前記各実施形態は、係止片がガイド部により誘導されることにより、扇子駆動役物のハウジングに実装されるコネクタ２２７と、ベース体に実装されるコネクタ２１３との位置決めが行われる構成を有する。このような構成によれば、コネクタ２１３，２２７どうしを位置決めして接続することができるから、コネクタ２１３，２２７に無理な力が掛かることを防止して、コネクタ２１３，２２７の破損を防止することができる。次に示す実施形態は、コネクタ２１３，２２７どうしを接続する際に、さらにコネクタ２１３，２２７に無理な力が掛からないようにできる構成を有する。
【００７９】
図１９は、前記構成を有する扇子駆動役物２２ｅのうち、コネクタ２２７の動作にかかわる部分を抜き出して示した分解斜視図であり、背面側から見た図である。図１９に示すように、この実施形態にかかる扇子駆動役物２２ｅは、ハウジング２２３ｅと、コネクタ支持部材２４９と、二個で一組の回転体２４７と、二個で一組のスライド部材２４４と、コネクタ支持部材２４９に実装されるコネクタ２２７と、付勢部材２４６とを有する。このうち、コネクタ支持部材２４９と、回転体２４８と、スライド部材２４４と、付勢部材２４６とが、本発明にいう接続補助手段に相当する。
【００８０】
スライド部材２４４は、略板状に形成される部材である。そしてスライド部材２４４の基端部には、付勢部材２４６が当接可能なように、スライド部材２４４の本体に対して略直角に延出する部位が形成される。したがって、スライド部材２４４は、上方または下方から見ると、略Ｌ字状に形成される。また、このスライド部材２４４の基端部近傍の上辺と下辺には、上方または下方に向かって延出する舌片状の係合突起２４５が形成される。
【００８１】
コネクタ支持部材２４９は、コネクタ２２７を実装できる部材である。図１９に示すように、このコネクタ支持部材２４９は、上方または下方から見て略「コ」の字状の形状を有する。すなわち、略平板状に形成される部分を有するとともに、この略平板状に形成される部分の左右両辺には、前面側（遊技機１の前後方向を基準とする）に向かって延出する部分が形成される。そして、前面側に向かって延出する部分の上辺と下辺には、それぞれ上方または下方に向かって延出する舌片状の係合突起２５０が形成される。
【００８２】
回転体２４７は、略円柱状に形成される部材である。そして回転体２４７の上下両側には、中心軸２４８が突出する。
【００８３】
付勢部材２４６は、スライド部材２４４を付勢する機能を有する部材である。この付勢部材２４６には、たとえば圧縮コイルバネなどが好適に適用できる。また、コネクタ支持部材２４９に実装されるコネクタ２２７は、ベース体に実装されるコネクタ２１３と電気的に接続可能な構成を有する。
【００８４】
ハウジング２２３ｅは、背面側（遊技機１の前後方向を基準とする）が開口する略箱状の部材である。ハウジング２２３ｅの上面と下面には、第一のスリット２４１、軸孔２４２、第二のスリット２４３が形成される。第一のスリット２４１および第二のスリット２４３は、ハウジング２２３ｅの前後方向に長い長孔状のスリットである。第一のスリット２４１は、コネクタ支持部材２４９に形成される係合突起２５０を挿入可能に形成される。また、第二のスリット２４３は、スライド部材２４４の係合突起２４５を挿入可能に形成される。軸孔２４２は、回転体２４７の中心軸２４８を挿入可能に形成される。
【００８５】
このような部材を有する扇子駆動役物２２ｅの組み付け構造は、次のとおりである。図２０は、この実施形態にかかる扇子駆動役物２２ｅの構成を模式的に示した外観斜視図である。なお、この図においては、可動体および可動体を駆動する電気的作動手段を省略してある。
【００８６】
スライド部材２４４の係合突起２４５が、ハウジング２２３ｅの第二のスリット２４３に挿入される。このような構成によれば、スライド部材２４４の基端部がハウジング２２３ｅに収納された状態となる。そしてスライド部材２４４は、ハウジング２２３ｅの第二のスリット２４３の延伸方向に沿って、往復動することができる。具体的には、第二のスリット２４３は遊技機１を基準としてその前後方向に延伸するから、スライド部材２４４は、遊技機１の前後方向に往復動することができる。そしてスライド部材２４４の基端部とハウジング２２３ｅとの間には、付勢手段２４６が介在している。このため、スライド部材２４４は、付勢部材２４６の付勢力によって、常態においてはハウジング２２３ｅの開口側（すなわち背面側）から突出するように付勢される。
【００８７】
また、コネクタ支持部材２４９の係合突起２５０が、ハウジング２２３ｅの第一のスリット２４１に挿入される。このような構成によれば、コネクタ支持部材２４９は、ハウジング２２３ｅの第一のスリット２４１の延伸方向に沿って、往復動することができる。具体的には、第一のスリット２４１は遊技機１の前後方向に延伸するから、コネクタ支持部材２４９は、遊技機１の前後方向に往復動することができる。
【００８８】
回転体２４７の中心軸２４８が、ハウジング２２３ｅに形成される軸孔２４２に挿入される。このような構成によれば、回転体２４７は、ハウジング２２３ｅの内部において回転可能に支持される。そしてこの回転体２４７は、ハウジング２２３ｅの内部に収容された状態で、スライド部材２４４とコネクタ支持部材２４９の両方に接触する。
【００８９】
このような構成を有する扇子駆動役物２２ｅの動作は次のとおりである。スライド部材２４４は、付勢部材２４６の付勢力によって、それらの一端（遊技機１を基準として背面側の先端）が、ハウジング２２３ｅの開口部から外部に突出するように付勢される。そして、常態においては（スライド部材２４４に外力が加わらない状態においては）、付勢部材２４６の付勢力によって、スライド部材２４４の先端がハウジング２２３ｅから突出している状態に維持される。また、コネクタ支持部材２４９は、回転体２４７を介してスライド部材２４４に連動するから、付勢部材２４６の付勢力によって、スライド部材２４４とは反対向きに付勢される。すなわち、ハウジング２２３ｅの内部に奥まる向きに付勢される（換言すると、ハウジング２２３ｅがベース体に対向した状態において、ベース体に実装されるコネクタ２１３から離間する向きに付勢される）。
【００９０】
スライド部材２４４に、ハウジング２２３ｅの内部に押し込まれるような力が加わると、付勢部材２４６の付勢力に抗して、スライド部材２４４は第二のスリット２４３の延伸方向に沿って、ハウジング２２３ｅの内部に移動する。スライド部材２４４は回転体２４７に接触しているから、スライド部材２４４が移動すると回転体２４７が回転する。さらに、回転体２４７はコネクタ支持部材２４９に接触しているから、回転体２４７が回転すると、コネクタ支持部材２４９は、第一のスリット２４１の延伸方向に沿って、スライド部材２４４の移動の向きとは反対向きに移動する。
【００９１】
したがって全体として、スライド部材２４４が付勢部材２４６の付勢力に抗してハウジング２２３ｅの内部に押し込まれると、その運動が回転体２４７を通じてコネクタ支持部材２４９に伝達され、コネクタ支持部材２４９は、ハウジングの内部を移動し、ハウジング２２３ｅの開口部から突出する向きに移動する。換言すると、ハウジング２２３ｅがベース体に対向した状態において、ベース体に実装されるコネクタ２１３に接近する向きに移動する。
【００９２】
次に、このような接続補助手段を有する扇子駆動役物２２ｅをベース体に取り付ける際における、接続補助手段の動作について説明する。なお、ベース体に形成される係止片受け部およびガイド部の構成は、図１２や図１７と略同じ構成が適用できる。したがって説明は省略する。
【００９３】
図２０に示すように、扇子駆動役物がベース体に取り付けられる前の状態においては、スライド部材は付勢部材の付勢力によって、ベース体に向けて突出している。一方、接続部が実装されるコネクタ支持部材は、ハウジングの内部に収まっており、付勢部材によって、ベース体に実装される電気的な接続部から離間する向きに付勢される。
【００９４】
そして、扇子駆動役物２２ｅをベース体の前面側に接近させると、まず接続補助手段のうちのスライド部材２４４の先端が、ベース体に形成されるガイド部に当接し、ガイド部によって、コネクタ支持部材２４９に実装されるコネクタ２２７と、ベース体に実装されるコネクタ２１３とが、位置決めされた状態で対向する。
【００９５】
この状態から、扇子駆動役物２２ｅをベース体にさらに接近させると、ハウジング２２３ｅはベース体にさらに接近することができるが、スライド部材２４４はその先端がベース体のガイド部に当接しているから、これ以上、ベース体に接近することができない。このように、スライド部材２４４が移動できない状態で、ハウジング２２３ｅがさらにベース体に接近する。このため見かけ上は、スライド部材２４４の先端が、ベース体によって押圧されて、ハウジング２２３ｅの内部に押し込まれることになる。
【００９６】
スライド部材２４４がハウジング２２３ｅの内部に押し込まれると、スライド部材２４４とハウジング２２３ｅの相対移動により回転体２４７が回転する。そして回転体２４７の回転運動がコネクタ支持部材２４９に伝達され、コネクタ支持部材２４９は、ベース体に実装されるコネクタ２１３に向かって突出する（すなわち、接続方向に移動する）。この結果、突出したコネクタ支持部材２４９が、ベース体に実装されるコネクタ２１３に接近し、コネクタ支持部材２４９に実装されるコネクタ２２７とベース体に実装されるコネクタ２１３とが、電気的に接続する。このように、扇子駆動役物２２ｅをベース体に取り付ける際に、まず扇子駆動役物２２ｅのコネクタ２２７とベース体のコネクタ２１３とが接続し、次いで扇子駆動役物２２ｅとベース体が係合する（すなわち係合位置に達する）。このため、コネクタ２１３，２２７どうしの接続において、コネクタ２１３，２１７に無理な外力などが掛かることを防止でき、コネクタ２１３，２１７の破損を防止することができる。
【００９７】
前記各実施形態は、係止片と係止片受け部が係合することにより、扇子駆動役物のハウジングがベース体に固定される構成を有する。次に示す実施形態は、前記実施形態に比較して、扇子駆動役物のハウジングとベース体の結合の強度を高めた構成を有する。
【００９８】
図２１は、この実施形態にかかる扇子駆動役物２２ｆとベース体２１ｆの構成を、模式的に示した外観斜視図である。扇子駆動役物２２ｆの構成は、図７に示す扇子駆動役物２２ａと同じ構成が適用できる。したがって説明は省略する（特に図７および図７に関する説明を参照）。ベース体２１ｆの前面側上部には、ベース体２１ｆから前面側に突出する二つの係止片３０１ｆが、左右所定の間隔をおいて形成される。係止片３０１ｆは舌片状に形成される部位であり、弾性変形可能に構成される。これらの係止片３０１ｆの先端には、係止爪３０２が形成される。また、二つの係止片３０１ｆの間には、コネクタ２１３（図においては隠れて見えない）が実装される。さらにコネクタ２１３の上方には、係止リブ２１６が形成される。係止リブ２１６は係止片３０１ｆと同様に舌片状に形成される部位であり、その先端には係止爪２１７が形成される。
【００９９】
このような構成を有するベース体２１ｆに扇子駆動役物２２ｆが取り付けられると（すなわち、扇子駆動役物２２ｆが係合位置にあると）、係止片３０１ｆの係止爪３０２が、ハウジング２２３ｆの係止片受け部３０３ｆに係止する。さらに、係止リブ２１６の係止爪２１７が、扇子駆動役物２２ｆのハウジング２２３ｆの外周（特に前面側の面）に係止する。このため、扇子駆動役物２２ｆとベース体２１ｆの係合をより強固にすることができる。
【０１００】
なお、扇子駆動役物２２ｆをベース体２１ｆから取り外す際には、係止片３０１ｆの係止爪３０２とハウジング２２３ｆに形成される係止片受け部３０３ｆとの係合を解除するとともに、係止リブ２１６を弾性変形させて、係止リブ２１６の係止爪２１７と扇子駆動役物２２ｆのハウジング２２３ｆとの係合を解除する。そして扇子駆動役物２２ｆのハウジング２２３ｆを前面側に引き抜く。これにより扇子駆動役物２２ｆはベース体２１ｆから離脱する。このように、係止リブ２１６は、扇子駆動役物２２ｆをベース体２１ｆから取り外す際には、扇子駆動役物２２ｆのハウジング２２３ｆとの係合を容易に解除することができる。
【０１０１】
前記各実施形態は、扇子駆動役物をベース体から取り外すには、扇子駆動役物とベース体との係合を解除し、その後、扇子駆動役物をベース体から引き離すという操作が必要となる。次に示す実施形態は、扇子駆動役物とベース体との係合を解除すると、自動的に扇子駆動役物がベース体から離脱する構成を備える。
【０１０２】
図２２は、この実施形態にかかる扇子駆動役物２２ｇとベース体２１ｇの構成を、模式的に示した分解斜視図である。
【０１０３】
図２２に示すように、扇子駆動役物２２ｇのハウジング２２３ｇの左右両側には、それぞれ弾性部材２５１と、位置決め手段としての位置決め突起部２５２が設けられる。弾性部材２５１は略円弧状に湾曲した部材であり、弾性変形可能に構成される。位置決め突起部２５２は略方形の板状の部材であり、弾性部材２５１の先端から背面側に向かって（すなわちベース体２１ｇの側に向かって）延出する。換言すると、扇子駆動役物２２ｇのハウジング２２３ｇと、位置決め突起部２５２とは、弾性部材２５１によって連結されているという構成を有する。このような構成によれば、弾性部材２５１が弾性変形することによって、位置決め突起部２５２が前後方向に伸縮するように移動可能である。また、扇子駆動役物２２ｇの背面側には、コネクタ２２７が設けられる。
【０１０４】
ベース体２２ｇの前面側上部には、左右方向に所定の間隔をおいて、二枚の立壁２２１ｇが略平行にかつ前面側に突出するように形成される。これらの二枚の立壁２１１ｇの間には、コネクタ２１３が設けられる。二枚の立壁２１１ｇのそれぞれには、扇子駆動役物２２ｇのハウジング２２３ｇの位置決め突起部２５２の先端部を受入可能な（位置決め手段としての）位置決め開口部２１８が形成される。図２２においては、位置決め開口部２１８が、上下方向に長い長孔状に形成される構成を示す。なお、この実施形態においては、位置決め突起部２５２が略方形の板状に形成され、位置決め開口部２１８が位置決め突起部２５２の先端部を受入可能な長孔状に形成される構成を示したが、本発明はこのような構成に限定されるものではない。たとえば位置決め突起部２５２が所定の断面形状を有する棒状に形成され、位置決め開口部２１８が、位置決め突起部２５２の断面形状と略同じ形状の開口部を有する構成であっても良い。要は、位置決め突起部２５２が扇子駆動役物２２ｇのハウジング２２３ｇから弾性部材２５１を介して背面側に突出する構成であるとともに、位置決め開口部２１８が、位置決め突起部２５２の先端部を受入可能に形成される構成であればよい。
【０１０５】
位置決め開口部２１８の上方には、離間規制手段２１９が配設される。この離間規制手段２１９は、長孔が形成される略板状の部材である。そしてネジ（図略）などによって、ベース体２１ｇに形成される立壁２１１ｇの上端（前面側）に装着される。この離間規制手段は、ネジなどによって長孔を通じて立壁２１１ｇに装着される構成であるため、長孔の延伸方向に沿って上下左右方向に移動することができる。ただし前後方向には実質的に移動することができない。なお、図２２においては、離間規制手段２１９が位置決め開口部２１８の上方に配設される構成を示したが、たとえば位置決め開口部２１８の下方に配設される構成であっても良い。
【０１０６】
このような構成を有する扇子駆動役物２２ｇとベース体２１ｇの組み付け構造は、次のとおりである。まず、扇子駆動役物２２ｇとベース体２１ｇとを互いに接近させ、扇子駆動役物２２ｇの位置決め突起部２５２の先端部を、ベース体２１ｇに形成される位置決め開口部２１８に挿入する。位置決め突起部２５２が位置決め開口部２１８に挿入されると、扇子駆動役物２２ｇのハウジング２２３ｇのカバー２２４（図においては隠れて見えない）に実装されるコネクタ２２７と、ベース体２１ｇに実装されるコネクタ２１３が、所定の距離を離間した状態で互いに位置決めされて対向する。すなわち、位置決め突起部２５２が位置決め開口部２１８に挿入された状態では、扇子駆動役物２２ｇのハウジング２２３ｇは、弾性部材２５１の付勢力によって、ベース体２１ｇから離間した状態に維持される。
【０１０７】
この状態から、弾性部材２５１の付勢力に抗して、ハウジング２２３ｇに背面側に向かって力を加えることによって、さらにハウジング２２３ｇを背面側（ベース体２１ｇの側）に移動させることができる。ハウジング２２３ｇを背面側に移動させると、ハウジング２２３ｇのカバー２２４に実装されるコネクタ２２７と、ベース体２１ｇに実装されるコネクタ２１３とが接近し、最終的にはコネクタ２１３，２２７どうしが電気的に接続される。なお、この状態でハウジング２２３ｇに加えた力を除去すると、弾性部材２５１の付勢力によって、ハウジング２２３ｇに実装されるコネクタ２２７と、ベース体２１ｇに実装されるコネクタ２１３との接続が解除され、扇子駆動役物２２ｇのハウジング２２３ｇは、ベース体２１ｇから離間した状態に戻る。このように、扇子駆動役物２２ｇのハウジング２２３ｇは、常態においては弾性部材２５１の付勢力によって、ベース体２１ｇから離間する向きに（すなわち、遊技機１の前面側に）付勢される。
【０１０８】
図２３は、扇子駆動役物２２ｇがベース体２１ｇに取り付けられた状態を模式的に示した外観斜視図である。図２３に示すように、ハウジング２２３ｇのカバー２２４に実装されるコネクタ２２７と、ベース体２１ｇに実装されるコネクタ２１３とが電気的に接続された状態で、離間規制手段２１９を、扇子駆動役物２２ｇの離間方向（すなわち、ハウジング２２３ｇに加えた力を除去した場合に、ハウジング２２３ｇが弾性部材２５１の付勢力によって移動する方向）に直交する方向（具体的には、ベース体２１ｇに取り付けられたハウジング２２３ｇの方向）にスライドさせ、離間規制手段２１９の少なくとも一部を、ハウジング２２３ｇの前面側に係合するように移動させる。
【０１０９】
離間規制手段２１９は、扇子駆動役物２２ｇの離間方向（すなわち、遊技機１を基準として前後方向）に直交する方向（遊技機１を基準として上下左右方向）にはスライドするように移動することができる。しかしながら、この離間規制手段２１９は前面側からネジなどによって立壁２１１ｇに装着されているため、遊技機１を基準として前後方向に移動することは実質的にできない。したがって、離間規制手段２１９がハウジング２２３ｇの前面側に係合すると、ハウジング２２３ｇがベース体２１ｇから離間することを規制する。このため、弾性部材２５１の付勢力に抗して、ハウジング２２３ｇのカバー２２４に実装されるコネクタ２２７と、ベース体２１ｇに実装されるコネクタ２１３とが接続される状態が維持される。
【０１１０】
扇子駆動役物２２ｇをベース体２１ｇから取り外すには、離間規制手段を扇子駆動役物のハウジングから離れるようにスライドさせればよい。図２３に示す状態から、離間規制手段２１９を扇子駆動役物２２ｇのハウジング２２３ｇから離れるようにスライドさせると（たとえば、左右両外側に移動させると）、離間規制手段２１９と扇子駆動役物２２ｇのハウジング２２３ｇとの係合が解除される。そうすると、扇子駆動役物２２ｇのハウジング２２３ｇは、弾性部材２５１の付勢力によって、ベース体２１ｇから離れる方向に移動する。この結果、扇子駆動役物２２ｇのハウジング２２３ｇに実装されるコネクタ２２７と、ベース体２１ｇに実装されるコネクタ２１３との接続が解除される。このため、扇子駆動役物２１ｇの取り外しに要する手間を削減することができる。
【産業上の利用可能性】
【０１１１】
以上、本発明の各種実施形態について説明したが、本発明は前記実施形態に限定されるものではなく、本発明の趣旨を逸脱しない範囲で種々の改変が可能であることはいうまでもない。たとえば、本発明の実施形態にかかる遊技機１は、パチンコ遊技機を例として説明したが、本発明の実施形態にかかる遊技機１は、パチンコ遊技機に限られるものではなく、他の種類の遊技機に適用しても良い。
【図面の簡単な説明】
【０１１２】
【図１】本発明の実施形態にかかる遊技機の構造を示した分解斜視図である。
【図２】本発明の実施形態にかかる遊技機を前面側からみた平面図である。
【図３】本発明の実施形態にかかる遊技機の背面図である。
【図４】遊技板およびセンター役物の構成を模式的に示した分解斜視図であり、遊技機の前面側から見た図である。
【図５】遊技板およびセンター役物の構成を模式的に示した分解斜視図であり、遊技機の背面側から見た図である。
【図６】扇子駆動役物（本発明にいう可動ユニット）の構成を模式的に示した外観斜視図であり、（ａ）は扇子が閉じた状態を示した図、（ｂ）は扇子が開いた状態を示した図である。
【図７】センター役物からベース体と扇子駆動役物を抜き出して示した分解斜視図である。
【図８】ベース体に扇子駆動役物を取り付ける途中の状態を示した外観斜視図である。
【図９】ベース体に扇子駆動役物を取り付けた状態を示した外観斜視図である。
【図１０】扇子駆動役物が取り付けられたベース体が、遊技板に取り付けられた状態を模式的に示した分解斜視図である。
【図１１】遊技板に装飾体が取り付けられた状態を模式的に示した平面図である。
【図１２】ベース体に係止片受け部およびガイド部が形成され、扇子駆動役物に係止片が形成される構成を模式的に示した分解斜視図である。
【図１３】扇子駆動役物をベース体に取り付けた状態を、模式的に示した外観斜視図である。
【図１４】係合部の見映えの向上を図った扇子駆動役物とベース体の構成を模式的に示した分解斜視図である。
【図１５】扇子駆動役物をベース体に取り付けた状態を示した外観斜視図である。
【図１６】ハウジングの構成を模式的に示した外観斜視図である。
【図１７】ハウジングと係合することができるベース体の構成を、模式的に示した分解斜視図である。
【図１８】扇子駆動役物がベース体に取り付けられた状態を模式的に示した外観斜視図である。
【図１９】扇子駆動役物の構成を、模式的に示した分解斜視図であり、背面側から見た図である。
【図２０】扇子駆動役物の構成を模式的に示した外観斜視図である。
【図２１】扇子駆動役物とベース体の構成を、模式的に示した外観斜視図である。
【図２２】扇子駆動役物とベース体の構成を、模式的に示した分解斜視図である。
【図２３】扇子駆動役物がベース体に取り付けられた状態を模式的に示した外観斜視図である。
【符号の説明】
【０１１３】
１  本発明の実施形態にかかる遊技機
１０１  外枠（機枠）
１０２  機構枠
１２１  タンク
１２２  タンクレール
１２３  払出装置
１２４  電源基板ケース
１２５  払出制御基板ケース  
１２６  カードインターフェース接続部
１２７  枠用外部端子基板
１２８  球寄せ
１０３  遊技盤
１３１  音声・図柄制御基板ケース
１３２  サブ制御基板ケース
１３３  主制御基板ケース
１３４  遊技領域
１３４１  外側ガイドレール
１３４２  内側ガイドレール
１３４３  図柄表示装置
１３４４  大入賞口
１３４５  始動入賞口
１３４６  その他の入賞口
１３４７  ゲート
１０４  前面枠
１４１  発射制御基板ケース
１４２  発射ハンドル
１４３  発射装置
１４４  第一の遊技板押さえ
１４５  第二の遊技板押さえ
１４６  回転可能な腕
１０５  ガラス枠（開閉扉）  
１５１  透明板
１５２  上皿
１５３  下皿
１５４  スピーカ
１５５  下皿部材
１５６  球抜き操作部
１５７  遊技スイッチ
２  センター役物
２１ａ  ベース体
２１１ａ  立壁
２１２  係合部
２１３  コネクタ
２１４  突起
２１５  開口部
２１６  係止リブ
２１７  係止リブの係止爪
２１８  位置決め開口部
２１９  離間規制手段
２２ａ  扇子駆動役物
２２１ａ，２２１ｂ，２２１ｃ  羽根板部材
２２２ａ，２２２ｂ  ソレノイド
２２３ａ  ハウジング
２２４  カバー
２２５  磁性体または磁石
２２６  係合部
２２７  コネクタ
２２８  傾斜面
２２９  係止開口
２４１  第一のスリット
２４２  軸孔
２４３  第二のスリット
２４４  スライド部材
２４５  スライド部材の係合突起
２４６  付勢部材
２４７  回転体
２４８  回転体の中心軸
２４９  コネクタ支持部材
２５０  コネクタ支持部材の係合突起
２５１  弾性部材
２５２  位置決め突起部
３０１ａ  係止片
３０２  係止爪
３０３ａ  係止片受け部
３０４ａ  ガイド部
３０５  支持部
３０６  本体部
３０７  操作部
２３  装飾部材
２３１  係合解除規制部
【図１】
2011161288.tif 000003
【図２】
2011161288.tif 000004
【図３】
2011161288.tif 000005
【図４】
2011161288.tif 000006
【図５】
2011161288.tif 000007
【図６】
2011161288.tif 000008
【図７】
2011161288.tif 000009
【図８】
2011161288.tif 000010
【図９】
2011161288.tif 000011
【図１０】
2011161288.tif 000012
【図１１】
2011161288.tif 000013
【図１２】
2011161288.tif 000014
【図１３】
2011161288.tif 000015
【図１４】
2011161288.tif 000016
【図１５】
2011161288.tif 000017
【図１６】
2011161288.tif 000018
【図１７】
2011161288.tif 000019
【図１８】
2011161288.tif 000020
【図１９】
2011161288.tif 000021
【図２０】
2011161288.tif 000022
【図２１】
2011161288.tif 000023
【図２２】
2011161288.tif 000024
【図２３】
2011161288.tif 000025